(57)【特許請求の範囲】
【請求項１】
少なくとも誘導加熱コイル、前記誘導加熱コイルの下方に配置されて該誘導加熱コイルから生じる磁束の磁路となるフェライトコア、及び前記誘導加熱コイルと前記フェライトコアを保持するコイルベースを有するコイルユニットと、
前記コイルユニットの下方に設けられ前記誘導加熱コイルからの漏洩磁界を低減するためのシールド部材と、
前記コイルユニットを冷却する冷却風を噴出させるための複数の第１の穴を有し、前記シールド部材の下方に配置された噴流板とを備え、
前記コイルユニットは、前記噴流板と前記シールド部材に対し、複数のバネを介し弾性保持されて所定距離浮いた状態に配置されているとともに、
前記シールド部材は、前記噴流板の前記複数の第１の穴に対応する複数の第２の穴が形成され、前記第２の穴が前記噴流板の前記第１の穴と合致するように該噴流板上面に固定されており、
前記噴流板の上面に、前記シールド部材の外周に沿う凸条を設けたことを特徴とする電磁誘導加熱調理器。
【請求項２】
少なくとも誘導加熱コイル、前記誘導加熱コイルの下方に配置されて該誘導加熱コイルから生じる磁束の磁路となるフェライトコア、及び前記誘導加熱コイルと前記フェライトコアを保持するコイルベースを有するコイルユニットと、
前記コイルユニットの下方に設けられ前記誘導加熱コイルからの漏洩磁界を低減するためのシールド部材と、
前記コイルユニットを冷却する冷却風を噴出させるための複数の第１の穴を有し、前記シールド部材の下方に配置された噴流板とを備え、
前記コイルユニットは、前記噴流板と前記シールド部材に対し、複数のバネを介し弾性保持されて所定距離浮いた状態に配置されているとともに、
前記シールド部材は、前記噴流板の前記複数の第１の穴に対応する複数の第２の穴が形成され、前記第２の穴が前記噴流板の前記第１の穴と合致するように該噴流板上面に固定されており、
前記シールド部材の外周縁の一側部に突出部を設けるとともに、前記噴流板に前記シールド部材の前記突出部が挿入固定可能な受入部を設けたことを特徴とする電磁誘導加熱調理器。
【請求項３】
前記シールド部材と前記噴流板の挿入固定部の反対側に、前記シールド部材を前記噴流板に共締めするための止着部を設けたことを特徴とする請求項２記載の電磁誘導加熱調理器。
【請求項４】
少なくとも誘導加熱コイル、前記誘導加熱コイルの下方に配置されて該誘導加熱コイルから生じる磁束の磁路となるフェライトコア、及び前記誘導加熱コイルと前記フェライトコアを保持するコイルベースを有するコイルユニットと、
前記コイルユニットの下方に設けられ前記誘導加熱コイルからの漏洩磁界を低減するためのシールド部材と、
前記コイルユニットを冷却する冷却風を噴出させるための複数の第１の穴を有し、前記シールド部材の下方に配置された噴流板とを備え、
前記コイルユニットは、前記噴流板と前記シールド部材に対し、複数のバネを介し弾性保持されて所定距離浮いた状態に配置されているとともに、
前記シールド部材は、前記噴流板の前記複数の第１の穴に対応する複数の第２の穴が形成され、前記第２の穴が前記噴流板の前記第１の穴と合致するように該噴流板上面に固定されており、
被加熱物から放射される赤外線を検出する赤外線センサーをさらに備え、前記シールド部材は、前記赤外線センサーを設置する部分を切り欠いた平板で構成されていることを特徴とする電磁誘導加熱調理器。
【請求項５】
前記シールド部材の第２の穴の径を前記噴流板の第１の穴の径よりも大きくしたことを特徴とする請求項１〜４のいずれか一項に記載の電磁誘導加熱調理器。
【請求項６】
少なくとも誘導加熱コイル、前記誘導加熱コイルの下方に配置されて該誘導加熱コイルから生じる磁束の磁路となるフェライトコア、及び前記誘導加熱コイルと前記フェライトコアを保持するコイルベースを有するコイルユニットと、
前記コイルユニットの下方に設けられ前記誘導加熱コイルからの漏洩磁界を低減するためのシールド部材と、
前記コイルユニットを冷却する冷却風を噴出させるための複数の第１の穴を有し、前記シールド部材の下方に配置された噴流板とを備え、
前記シールド部材は、前記噴流板の前記複数の第１の穴に対応する複数の第２の穴が形成され、前記第２の穴が前記噴流板の前記第１の穴と合致するように該噴流板上面に固定されており、
前記噴流板の上面に、前記シールド部材の外周に沿う凸条を設けたことを特徴とする電磁誘導加熱調理器。
【請求項７】
少なくとも誘導加熱コイル、前記誘導加熱コイルの下方に配置されて該誘導加熱コイルから生じる磁束の磁路となるフェライトコア、及び前記誘導加熱コイルと前記フェライトコアを保持するコイルベースを有するコイルユニットと、
前記コイルユニットの下方に設けられ前記誘導加熱コイルからの漏洩磁界を低減するためのシールド部材と、
前記コイルユニットを冷却する冷却風を噴出させるための複数の第１の穴を有し、前記シールド部材の下方に配置された噴流板とを備え、
前記シールド部材は、前記噴流板の前記複数の第１の穴に対応する複数の第２の穴が形成され、前記第２の穴が前記噴流板の前記第１の穴と合致するように該噴流板上面に固定されており、
前記シールド部材の外周縁の一側部に突出部を設けるとともに、前記噴流板に前記シールド部材の前記突出部が挿入固定可能な受入部を設けたことを特徴とする電磁誘導加熱調理器。
【請求項８】
前記シールド部材と前記噴流板の挿入固定部の反対側に、前記シールド部材を前記噴流板に共締めするための止着部を設けたことを特徴とする請求項７記載の電磁誘導加熱調理器。
【請求項９】
少なくとも誘導加熱コイル、前記誘導加熱コイルの下方に配置されて該誘導加熱コイルから生じる磁束の磁路となるフェライトコア、及び前記誘導加熱コイルと前記フェライトコアを保持するコイルベースを有するコイルユニットと、
前記コイルユニットの下方に設けられ前記誘導加熱コイルからの漏洩磁界を低減するためのシールド部材と、
前記コイルユニットを冷却する冷却風を噴出させるための複数の第１の穴を有し、前記シールド部材の下方に配置された噴流板とを備え、
前記シールド部材は、前記噴流板の前記複数の第１の穴に対応する複数の第２の穴が形成され、前記第２の穴が前記噴流板の前記第１の穴と合致するように該噴流板上面に固定されており、
被加熱物から放射される赤外線を検出する赤外線センサーをさらに備え、前記シールド部材は、前記赤外線センサーを設置する部分を切り欠いた平板で構成されていることを特徴とする電磁誘導加熱調理器。
【請求項１０】
前記シールド部材の第２の穴の径を前記噴流板の第１の穴の径よりも大きくしたことを特徴とする請求項７〜９のいずれか一項に記載の電磁誘導加熱調理器。
【発明の詳細な説明】
【技術分野】
【０００１】
本発明は、電磁誘導加熱調理器に関するものである。
【背景技術】
【０００２】
従来の電磁誘導加熱調理器として、誘導加熱コイルと、誘導加熱コイル下方に配置されて誘導加熱コイルから生じる磁束の磁路となるフェライトコアと、誘導加熱コイルとフェライトコアを保持するコイルベースと、誘導加熱コイルからの漏洩磁界を低減するためのシールド部材とを備え、シールド部材は円盤状の平板で構成してコイルベース下面に固定したものがある（例えば、特許文献１参照）。
【０００３】
このようなものにおいて、誘導加熱コイルから発生する磁力線によりシールド部材に渦電流が流れると、その渦電流により誘導加熱コイルが発生する磁力線と反対方向の磁力線が発生し、漏洩磁力線はシールド部材の近傍、すなわち誘導加熱コイルの下方で相殺される。また、シールド部材には、部分的に開口を設けてあり、誘導加熱コイル下部より送風される冷却風により冷却されるようになっている。
【先行技術文献】
【特許文献】
【０００４】
【特許文献１】特開２０１１−１０８４３２号公報（図１、図３）
【発明の概要】
【発明が解決しようとする課題】
【０００５】
しかしながら、シールド部材をコイルベース下面に固定したものにあっては、コイルベースに保持される誘導加熱コイルとシールド部材との間の距離が小さく、漏洩磁界の低減効果は大きいが、シールド部材の発熱も大きくなってしまう。
【０００６】
また、発熱体である誘導加熱コイルを、基本的にシールド部材で覆うことになるため、誘導加熱コイルの露出部分（冷却風にさらされる部分）が減り、誘導加熱コイルの冷却性能を低下させてしまうという難点があった。このことは、コイルユニットに搭載されている他の発熱部品にも言えることであった。
【０００７】
本発明は、前記のような課題を解決するためになされたもので、シールド部材の発熱を低減させ、かつシールド部材によりコイルユニットの冷却性能を低下させることなく漏洩磁界を低減させ得るようにすることを目的とする。
【課題を解決するための手段】
【０００８】
本発明に係る電磁誘導加熱調理器は、少なくとも誘導加熱コイル、誘導加熱コイルの下方に配置されてこの誘導加熱コイルから生じる磁束の磁路となるフェライトコア、及び誘導加熱コイルとフェライトコアを保持するコイルベースを有するコイルユニットと、コイルユニットの下方に設けられ誘導加熱コイルからの漏洩磁界を低減するためのシールド部材と、コイルユニットを冷却する冷却風を噴出させるための複数の第１の穴を有し、シールド部材の下方に配置された噴流板とを備え、コイルユニットは、噴流板とシールド部材に対し、複数のバネを介し弾性保持されて所定距離浮いた状態に配置されているとともに、シールド部材は、噴流板の複数の第１の穴に対応する複数の第２の穴が形成され、第２の穴が噴流板の第１の穴と合致するように噴流板上面に固定されており、噴流板の上面に、シールド部材の外周に沿う凸条を設けたものである。
【発明の効果】
【０００９】
本発明の電磁誘導加熱調理器においては、コイルユニットは、噴流板とシールド部材に対し、複数のバネを介し弾性保持されて所定距離浮いた状態に配置されているとともに、コイルユニットを冷却する冷却風を噴出させるための複数の第１の穴を有する噴流板の上面に、噴流板の第１の穴に対応する複数の第２の穴を有するシールド部材を、その第２の穴が噴流板の第１の穴と合致するように配置して固定し、また噴流板の上面に、シールド部材の外周に沿う凸条を設けているので、誘導加熱コイルとシールド部材との間の距離を大きくでき、シールド部材の発熱を小さくすることができるとともに、凸条によってシールド部材のエッジによる配線の傷つきを防止し、組立時の安全性を確保することができる。さらに、シールド部材が冷却風の流れを妨げることがなくなって、コイルユニットの冷却性能を低下させることなく、漏洩磁界を低減させることができる。
【図面の簡単な説明】
【００１０】
【図１】本発明の実施形態に係る電磁誘導加熱調理器のトッププレートを取り外して示す斜視図である。
【図２】本発明の実施形態に係る電磁誘導加熱調理器のトッププレートとコイルユニットを取り外して示す斜視図である。
【図３】本発明の実施形態に係る電磁誘導加熱調理器のトッププレートとコイルユニットを取り外して示す平面図である。
【図４】本発明の実施形態に係る電磁誘導加熱調理器のシールド部材と噴流板の関係を示す分解斜視図である。
【図５】本発明の実施形態に係る電磁誘導加熱調理器のシールド部材を噴流板に共締めした状態を示す平面図である。
【図６】図５のＡ−Ａ線矢視断面図である。
【図７】図５のＢ−Ｂ線矢視断面図である。
【図８】図５のイ方向より見た側面図である。
【図９】本発明の実施形態に係る電磁誘導加熱調理器のシールド部材を噴流板に共締めした状態を示す斜視図である。
【図１０】本発明の実施形態に係る電磁誘導加熱調理器のコイルユニットを示す平面図である。
【図１１】図１０のＣ−Ｃ線矢視断面図である。
【図１２】本発明の実施形態に係る電磁誘導加熱調理器のコイルユニットを示す下面図である。
【図１３】図１２のロ方向より見た側面図である。
【図１４】本発明の実施形態に係る電磁誘導加熱調理器のコイルユニットとシールド部材と噴流板の関係を示す平面図である。
【図１５】図１４のＤ−Ｄ線矢視断面図である。
【発明を実施するための形態】
【００１１】
図１は本発明の実施形態に係る電磁誘導加熱調理器のトッププレートを取り外して示す斜視図、図２は本発明の実施形態に係る電磁誘導加熱調理器のトッププレートとコイルユニットを取り外して示す斜視図、図３は本発明の実施形態に係る電磁誘導加熱調理器のトッププレートとコイルユニットを取り外して示す平面図である。
本発明の実施形態の電磁誘導加熱調理器は、図１乃至図３のように外郭を構成する加熱調理器本体１（以下、本体１）と、本体１の上部開口面を覆うように取り付けられるトッププレート（図示せず）と、本体１の前面に配置された操作部２と、本体１の前面に操作部２と隣接して設けられたグリル扉３とを備えている。
【００１２】
トッププレートは、調理を行う際に上面に調理容器を載置するものであり、耐熱強化ガラスより構成されている。そして、このトッププレートの下には、左右に加熱容量の異なる２つのコイルユニットが配置されるが、ここでは右側に位置する加熱容量の小さい側のコイルユニット４に係る発明であるため、左側に位置するコイルユニットについては説明を省略する。コイルユニット４には、小径および大径のリング状の誘導加熱コイル５，６が設けられている。コイルユニット４下方の本体１上には、噴流板７と板状のシールド部材８が設置されている。コイルユニット４は、噴流板７とシールド部材８に対し、図示しない複数のバネを介し弾性保持されて所定距離浮いた状態に配置され、トッププレートの下面に押し付けられるようになっている。そのため、噴流板５には周方向の複数箇所にバネ座９が設けられているとともに、コイルユニット４の後述するコイルベース２１（図１２）の下面の周方向の複数箇所にバネ受け２７（図１２）が設けられている。グリル扉３は、魚などを調理するグリル庫の開口を被うものであり、使用者がグリル扉３に設けられた取手を手前に引くことで開くことができる。
【００１３】
そして、前述のコイルユニット４を構成する誘導加熱コイルに、インバーター回路（図示せず）を介して高周波電流が流れると、加熱コイルから高周波電流に応じた磁束が発生し、その磁束によりトッププレートに載置された調理容器の鍋などが誘導加熱される。
【００１４】
図４は本発明の実施形態に係る電磁誘導加熱調理器のシールド部材と噴流板の関係を示す分解斜視図、図５は本発明の実施形態に係る電磁誘導加熱調理器のシールド部材を噴流板に共締めした状態を示す平面図、図６は図５のＡ−Ａ線矢視断面図、図７は図５のＢ−Ｂ線矢視断面図、図８は図５のイ方向より見た側面図、図９は本発明の実施形態に係る電磁誘導加熱調理器のシールド部材を噴流板に共締めした状態を示す斜視図である。
噴流板７には、図４のように冷却風を噴出する複数の穴すなわち第１の穴７ａが形成され、前記図１乃至図３に示す本体１の背面側に形成された吸気口１１より送風機（図示せず）によって吸い込まれた空気が第１の穴７ａより噴出され、風路１２を介して本体１背面側に形成された排気口１３より排気されるようになっている。
【００１５】
一方、シールド部材８には、図４乃至図９のように噴流板７の第１の穴７ａに対応する複数の第２の穴８ａが形成されており、シールド部材８は、第２の穴８ａが噴流板７の第１の穴７ａと合致するように位置合わせされて噴流板７の上面に固定されるようになっている。なお、シールド部材８の第２の穴８ａの径は、噴流板７の第１の穴７ａの径よりも大きく形成されており、これによって組立誤差等を吸収できるようになっている。そして、第１の穴７ａから第２の穴８ａを通過する冷却風によってシールド部材８及び上方に配置される基板や誘導加熱コイル５，６が冷却され、これらを冷却した冷却風は、既述したように風路１２を介して本体１背面側に形成された排気口１３より排気されるようになっている。
【００１６】
また、噴流板７の上面の周縁部には、図４及び図５のようにシールド部材８の外周に沿う複数の凸条７ｂが設けられており、これら凸条７ｂによってシールド部材８のエッジによる配線の傷つきを防止し、さらに組立時の安全性を確保できるようにしている。
【００１７】
また、シールド部材８の外周縁の一側部には、図４のように突出部８ｂが設けられているとともに、噴流板７にシールド部材８の突出部８ｂが挿入固定可能な受入部であるブリッジ７ｃが設けられており、これによって位置決め（仮止め）が容易となっている。
【００１８】
また、噴流板７の挿入固定部の反対側、つまり反ブリッジ側にねじ穴７ｄが設けられているとともに、シールド部材８のねじ穴７ｄに対応する位置にねじ挿通孔８ｃが形成され、これらがねじ１４によって共締めされるようになっている。これにより、シールド部材８の浮き上がりを防止でき、誘導加熱コイル等との接触を防ぐことができ、かつ組立作業時の安全性の確保が容易となる。
【００１９】
ところで、コイルユニット４には、被加熱物から放射される赤外線を検出する赤外線センサーが取り付けられるが、赤外線センサーのユニットは他の電子部品等と比べると大型である。そのため、シールド部材８には、赤外線センサーに対応する部分に切欠き８ｄによる逃げが形成されているとともに、噴流板７にも孔７ｅが形成されている。
【００２０】
図１０は本発明の実施形態に係る電磁誘導加熱調理器のコイルユニットを示す平面図、図１１は図１０のＣ−Ｃ線矢視断面図、図１２は本発明の実施形態に係る電磁誘導加熱調理器のコイルユニットを示す下面図、図１３は図１２のロ方向より見た側面図である。
コイルユニット４は、図１０乃至図１３のようにコイルベース２１と、このコイルベース２１に設けられる複数のフェライトコア２２と、複数の誘導加熱コイル５，６と、被加熱物から放射される赤外線を検出する赤外線センサー２３と、温度調整を行うための複数のサーミスタ２４と、コイルベース２１内での誘導加熱コイル６の位置を規定するための複数のスペーサー２５と、コイルベース２１の側板２１ａの外周全体覆うように設けた防磁リング２６とを備えており、赤外線センサー２３のセンサーケース２３ａが下方に突出して配置されている。
【００２１】
防磁リング２６は、コイルユニット４の外に誘導加熱コイル５，６から生じる磁束を漏れ難くするためのもので、組立作業時に、作業者がコイルユニット４の上下がわかるように、コイルユニット４の上位置にリングを閉じるかしめ部２６ａが位置している。
【００２２】
図１４は本発明の実施形態に係る電磁誘導加熱調理器のコイルユニットとシールド部材と噴流板の関係を示す平面図、図１５は図１４のＤ−Ｄ線矢視断面図である。
本発明の実施形態に係る電磁誘導加熱調理器は、噴流板の第１の穴７ａに対応する複数の第２の穴８ａを有するシールド部材８を、図１４及び図１５のようにコイルベース２１から分離し、下方に所定距離離して配置される噴流板７の上面に固定するようにしているので、誘導加熱コイル５，６とシールド部材との間の距離を大きくでき、シールド部材の発熱を小さくすることができる。さらに、シールド部材が冷却風の流れを妨げることがなくなって、コイルユニット４に搭載された誘導加熱コイル５，６や他の発熱部品の冷却性能を低下させることなく、漏洩磁界を低減させることができる。
【符号の説明】
【００２３】
１  加熱調理器本体、２  操作部、３  グリル扉、４  コイルユニット、５，６  誘導加熱コイル、７  噴流板、７ａ  第１の穴、７ｂ  凸条、７ｃ  ブリッジ（受入部）、７ｄ  ねじ穴、７ｅ  孔、８  シールド部材、８ａ  第２の穴、８ｂ  突出部、８ｃ  ねじ挿通孔、８ｄ  切欠き、９  バネ座、１１  吸気口、１２  風路、１３  排気口、１４  ねじ、２１  コイルベース、２１ａ  側板、２２  フェライトコア、２３  赤外線センサー、２３ａ  センサーケース、２４  サーミスタ、２５  スペーサー、２６  防磁リング、２６ａ  かしめ部、２７  バネ受け。
【図１】
0005808202.tif 000002
【図２】
0005808202.tif 000003
【図３】
0005808202.tif 000004
【図４】
0005808202.tif 000005
【図５】
0005808202.tif 000006
【図６】
0005808202.tif 000007
【図７】
0005808202.tif 000008
【図８】
0005808202.tif 000009
【図９】
0005808202.tif 000010
【図１０】
0005808202.tif 000011
【図１１】
0005808202.tif 000012
【図１２】
0005808202.tif 000013
【図１３】
0005808202.tif 000014
【図１４】
0005808202.tif 000015
【図１５】
0005808202.tif 000016